(57)【要約】【課題】子供、病人など指先の力の小さい人であってもこぼすなど内容物に悪影響を与えることなく容易に蓋材を剥離して開封できる包装容器およびその製法を提供する。【解決手段】少なくとも２個の包装容器本体を、これらの包装容器本体に形成したフランジ部を介して相互に切り放し可能に連結した複数の包装容器本体のフランジ部とシート状の蓋材をシールした包装容器であって、前記連結部の両端部の少なくとも１端部に位置する前記蓋材部分は前記フランジ部とシールされておらず前記蓋材を開封する際の開蓋用耳部として使用可能に形成されている包装容器により課題を解決できる。【選択図】      図１
2005022678.tif 000002
【特許請求の範囲】
【請求項１】
少なくとも２個の包装容器本体を、これらの包装容器本体に形成したフランジ部を介して相互に切り放し可能に連結した複数の包装容器本体のフランジ部とシート状の蓋材をシールした包装容器であって、前記連結部の両端部の少なくとも１端部に位置する前記蓋材部分は前記フランジ部とシールされておらず前記蓋材を開封する際の開蓋用耳部として使用可能に形成されていることを特徴とする包装容器。
【請求項２】
前記開蓋用耳部は前記蓋材を開封する方向に向けて端部に切り込み部あるいは切り放し可能部が設けられて形成されていることを特徴とする請求項１記載の包装容器。
【請求項３】
前記連結部の両端部の少なくとも１端部に位置する前記フランジ部に前記蓋材を開封する方向に向けて端部に切り込み部あるいは切り放し可能部が設けられて開蓋用補助耳部が形成されていることを特徴とする請求項１あるいは請求項２記載の包装容器。
【請求項４】
前記開蓋用補助耳部に凹部および／または凸部が形成されていることを特徴とする請求項３記載の包装容器。
【請求項５】
密封包装容器であることを特徴とする請求項１から請求項４のいずれかに記載の包装容器。
【請求項６】
少なくとも２個の包装容器本体を、これらの包装容器本体に形成したフランジ部を介して相互に切り放し可能に連結した複数の包装容器本体のフランジ部とシート状の蓋材を重ね合わせてシールして包装容器を製造する方法であって、前記連結部の両端部の少なくとも１端部に位置する前記蓋材部分が前記フランジ部にシールされず前記蓋材を開封する際の開蓋用耳部として使用可能に形成することを特徴とする包装容器の製法。
【請求項７】
少なくとも２個の包装容器本体を、これらの包装容器本体に形成したフランジ部を介して相互に切り放し可能に連結した複数の包装容器本体のフランジ部とシート状の蓋材を重ね合わせてシールして包装容器を製造する方法であって、前記連結部の両端部の少なくとも１端部に位置する前記蓋材部分に対応する前記フランジ部に凹部および／または凸部を設けて、前記蓋材部分が対応する前記フランジ部にシールされず前記蓋材を開封する際のそれぞれ開蓋用耳部および開蓋用補助耳部として使用可能に形成することを特徴とする請求項６記載の包装容器の製法。
【発明の詳細な説明】
【０００１】
【発明の属する技術分野】
本発明は、長期保存性に優れる包装容器およびその製法に関するものであり、さらに詳しくは、蓋材をシールした包装容器の内容物に悪影響を与えることなく蓋材を容易に剥離できる包装容器およびその製法に関するものである。
【０００２】
【従来の技術】
従来、図５に示したように、２個の包装容器本体２０、２１がそれぞれのフランジ部２２、２３の一部を介して相互に連結した包装用容器２４であって、包装用容器２４の前記フランジ部２２、２３の端部２５、２６に凹凸部２７、２８が形成されたものが提案されている（例えば、特許文献１、２参照）。
【０００３】
【特許文献１】
意匠登録第１０７２７９８号公報
【特許文献２】
意匠登録第１０７３４４２号公報
【０００４】
【発明が解決しようとする課題】
図５に示した包装用容器２４の包装容器本体２０、２１内に図示しない内容物を入れた後、包装用容器２４のフランジ部２２、２３と、フランジ部２２、２３の形状や大きさと同じシート状の蓋材２９を対接させてシールした包装容器３０を図６に示す。
図６に示したように、フランジ部２２、２３とシート状の蓋材２９がシールされて図示しない内容物が包装されているが、前記フランジ部２２、２３の端部２５、２６においては、対応する位置にある蓋材２９の蓋材部分３１、３２が前記端部２５、２６にシールされておらず、図示しない内容物を取り出すために蓋材２９を開封する際の開蓋用耳部３１、３２として使用可能に形成されている。
そして、図６に示すように、図示しない内容物を取り出す際には、開蓋用耳部３１、３２を白矢印で示した方向に引っ張って蓋材２９を剥離して開封することができる。端部２５および２６は、通常、開蓋用補助耳部として使用される。すなわち、片手で端部２５あるいは２６を保持して包装容器３０を固定するようにし、他方の手で開蓋用耳部３１あるいは３２を白矢印で示した方向に引っ張ると蓋材２９を剥離して開封することができる。
しかし、開蓋用耳部３１、３２あるいは開蓋用補助耳部として使用される端部２５、２６は大きさ、寸法が小さいため、指先の力の大きい人であれば上記のようにして蓋材２９を剥離して開封することができるが、子供、病人など指先の力の小さい人は容易には蓋材２９を剥離して開封できないという問題があった。
【０００５】
本発明の第１の目的は、子供、病人など指先の力の小さい人であっても内容物に悪影響を与えることなく容易に蓋材を剥離して開封できる包装容器を提供することであり、
本発明の第２の目的は、そのような包装容器を容易に製造できる製法を提供することである。
【０００６】
【課題を解決するための手段】
本発明者等は、上記問題を解決するため鋭意研究を重ねた結果、包装容器本体に形成したフランジ部の一部を介して相互に切り放し可能に連結した複数の包装容器本体を用いた包装容器の前記連結部の両端部の少なくとも１端部に開蓋用耳部や開蓋用補助耳部を形成することにより課題を解決できることを知見し、本発明を完成するに至った。
【０００７】
すなわち、上記課題を解決するための本発明の請求項１の包装容器は、少なくとも２個の包装容器本体を、これらの包装容器本体に形成したフランジ部を介して相互に切り放し可能に連結した複数の包装容器本体のフランジ部とシート状の蓋材をシールした包装容器であって、前記連結部の両端部の少なくとも１端部に位置する前記蓋材部分は前記フランジ部とシールされておらず前記蓋材を開封する際の開蓋用耳部として使用可能に形成されていることを特徴とする。
【０００８】
本発明の包装容器は、各包装容器本体がフランジ部を介して相互に切り放し可能に連結されているので、必要に応じて個々の包装容器本体を切り放して使用することができる。包装容器の連結部の両端部の少なくとも１端部に開蓋用耳部を形成することにより、開蓋用耳部の大きさ、寸法を従来よりおよそ２倍に大きくすることができるため、子供、病人、女性など指先の力の小さい人であっても内容物に悪影響を与えることなく容易に蓋材を剥離して開封できる。
【０００９】
本発明の請求項２の包装容器は、請求項１記載の包装容器において、前記開蓋用耳部は前記蓋材を開封する方向に向けて端部に切り込み部あるいは切り放し可能部が設けられて形成されていることを特徴とする。
【００１０】
蓋材を開封する方向に向けて端部に切り込み部あるいは切り放し可能部（例えばミシン目など）が設けられていると、切り込み部あるいは切り放し可能部を切り放すなどして得られる開蓋用耳部を手でしっかり保持したり掴み易くできるので開蓋用耳部の使用勝手がよくなる。
【００１１】
本発明の請求項３の包装容器は、請求項１あるいは請求項２記載の包装容器において、前記連結部の両端部の少なくとも１端部に位置する前記フランジ部に前記蓋材を開封する方向に向けて端部に切り込み部あるいは切り放し可能部が設けられて開蓋用補助耳部が形成されていることを特徴とする。
【００１２】
前記フランジ部に前記蓋材を開封する方向に向けて端部に切り込み部あるいは切り放し可能部（例えばミシン目など）が設けられていると、切り込み部あるいは切り放し可能部を切り放すなどして得られる開蓋用補助耳部を手でしっかり保持したり掴み易くできるので開蓋用補助耳部の使用勝手がよくなる。
【００１３】
本発明の請求項４の包装容器は、請求項３記載の包装容器において、前記開蓋用補助耳部に凹部および／または凸部が形成されていることを特徴とする。
【００１４】
開蓋用補助耳部に凹部および／または凸部が形成されていると手でしっかり保持したり掴み易くなる上、包装容器本体のフランジ部とシート状の蓋材をシールする際に、開蓋用補助耳部に対応する位置にある蓋材が開蓋用補助耳部にシールされず、容易に開蓋用耳部および開蓋用補助耳部を形成できる。
【００１５】
本発明の請求項５は、請求項１から請求項４のいずれかに記載の包装容器において、密封包装容器であることを特徴とする。
【００１６】
内容物の密封性、長期保存性に優れる。
【００１７】
本発明の請求項６は、少なくとも２個の包装容器本体を、これらの包装容器本体に形成したフランジ部を介して相互に切り放し可能に連結した複数の包装容器本体のフランジ部とシート状の蓋材を重ね合わせてシールして包装容器を製造する方法であって、前記連結部の両端部の少なくとも１端部に位置する前記蓋材部分が前記フランジ部にシールされず前記蓋材を開封する際の開蓋用耳部として使用可能に形成することを特徴とする包装容器の製法である。
【００１８】
本発明の製法により、本発明の包装容器を容易に製造できる。
【００１９】
本発明の請求項７は、請求項６記載の包装容器の製法において、少なくとも２個の包装容器本体を、これらの包装容器本体に形成したフランジ部を介して相互に切り放し可能に連結した複数の包装容器本体のフランジ部とシート状の蓋材を重ね合わせてシールして包装容器を製造する方法であって、前記連結部の両端部の少なくとも１端部に位置する前記蓋材部分に対応する前記フランジ部に凹部および／または凸部を設けて、前記蓋材部分が対応する前記フランジ部にシールされず前記蓋材を開封する際のそれぞれ開蓋用耳部および開蓋用補助耳部として使用可能に形成することを特徴とする。
【００２０】
開蓋用補助耳部に凹部および／または凸部が形成されていると手でしっかり保持したり掴み易くなる上、包装容器本体のフランジ部とシート状の蓋材をシールする際に、開蓋用補助耳部に対応する位置にある蓋材が開蓋用補助耳部にシールされず、容易に開蓋用耳部および開蓋用補助耳部を形成できる。
【００２１】
【発明の実施の形態】
以下、本発明を図面を用いて詳細に説明する。
図１は、本発明の包装容器の一実施の形態を説明する説明図である。
図２は、本発明の包装容器の他の実施の形態を説明する説明図である。
図３は、本発明の包装容器の他の実施の形態を説明する説明図である。
図４は、本発明の包装容器の他の実施の形態を説明する側面説明図である。
【００２２】
図１において、本発明の包装容器１Ａは、２個の包装容器本体２、３（フランジ部長さ約２０ｃｍ、フランジ部幅約１０ｃｍ、包装容器本体開口部約８ｃｍ×８ｃｍ、高さ約２．５ｃｍ、厚さ約３００〜５００μｍ、ポリプロピレン、エチレンビニルアルコール共重合体）がそれぞれのフランジ部４、５の１端を介して相互に切り放し可能に連結されており（６はミシン目が施された連結部を示す。連結部６を必要に応じて分離することにより包装容器本体２、３を個々に分離できる）、そして包装容器本体２、３内に図示しない内容物を入れた後、フランジ部４、５と、フランジ部４、５の形状や大きさと略同じシート状の蓋材７（ポリエチレンテレフタレート、ポリプロピレン、アルミニウム箔、厚さ約３０〜１００μｍ）を対接させてシールして図示しない内容物が密封されている。
【００２３】
連結部６の両端部に位置する蓋材部分８、９は、蓋材部分８、９にそれぞれ対応するフランジ部４、５の部分１０、１１とシールされていない。そして蓋材部分８、９は蓋材７を開封する際の開蓋用耳部８、９として使用可能に形成されており、フランジ部４、５の部分１０、１１は開蓋用補助耳部１０、１１として使用可能に形成されている。
なお、上記実施形態においては、フランジ部４、５の部分１０、１１を予め形成した例を示したが、開蓋用耳部８、９のみを使用して蓋材７を開封できるような場合は部分１０、１１はなくてもよく、フランジ部４、５の部分１０、１１が予め形成されていない包装容器本体２、３を使用して本発明の包装容器１Ａを製造することができる。
【００２４】
包装容器１Ａの開蓋用耳部８、９や開蓋用補助耳部１０、１１の大きさ、寸法を従来より約２倍に大きくすることができるため、子供、病人、女性など指先の力の小さい人であっても内容物をこぼすなどせずに容易に包装容器１Ａの蓋材７を剥離して開封できる。
【００２５】
開蓋用耳部８、９は蓋材７を白矢印方向に引っ張って開封する方向に向けてその端部に切り込み部１２、１３が設けられて形成されている。切り込み部１２、１３で切り放して開蓋用耳部８、９を手でしっかり保持したり掴み易くでき、使用勝手がよくなる。
【００２６】
開蓋用補助耳部１０、１１は蓋材７を白矢印方向に引っ張って開封する方向に向けてその端部に切り込み部１４、１５が設けられて形成されている。切り込み部１４、１５で切り放して開蓋用補助耳部１０、１１を手でしっかり保持したり掴み易くでき、使用勝手がよくなる。
【００２７】
開蓋用補助耳部１０に例示したように例えば、前記特許文献１、２に記載されているような凹凸部１６が形成されていると、手でしっかり保持したり掴み易くなる上、包装容器本体２、３のフランジ部４、５とシート状の蓋材７をシールする際に、開蓋用補助耳部１０に対応する位置にある蓋材７の部分８が開蓋用補助耳部１０にシールされないので、容易に開蓋用耳部８および開蓋用補助耳部１０を形成できる。
【００２８】
本発明の包装容器１Ａを製造するには、包装容器本体２、３に図示しない内容物を入れた後、フランジ部４、５と、フランジ部４、５の形状や大きさと略同じシート状の蓋材７を対接させてシールする。前記連結部６の両端部のに位置する蓋材部分８、９が対応するフランジ部４、５の部分１０、１１にシールされず、それぞれ蓋材７を開封する際の開蓋用耳部８、９および開蓋用補助耳部１０、１１として使用可能に形成する。
【００２９】
図２は、本発明の包装容器の他の実施の形態を説明する説明図であり、本発明の包装容器１Ｂは、３個の包装容器本体２、３、３Ａがそれぞれのフランジ部４、５、５Ａの１端を介して相互に切り放し可能に連結されており（６はミシン目が施された連結部を示す。連結部６を必要に応じて分離することにより包装容器本体２、３、３Ａを個々に分離できる）、包装容器本体２、３、３Ａ内に図示しない内容物を入れた後、フランジ部４、５、５Ａと、フランジ部４、５、５Ａの形状や大きさと略同じシート状の蓋材７を対接させてシールして図示しない内容物が密封されている。包装容器本体２、３との連結部６の両端部に開蓋用耳部８、９および開蓋用補助耳部１０、１１が形成されているとともに包装容器本体３、３Ａとの連結部６の一端部にも開蓋用耳部９および開蓋用補助耳部１１が形成されている以外は、図１に示した本発明の包装容器１Ａと同様になっており、本発明の包装容器１Ａと同様の作用効果が得られる。この例では、包装容器本体が３個の例を示したが４個以上であっても差し支えない。
【００３０】
図３は、本発明の包装容器の他の実施の形態を説明する説明図であり、本発明の包装容器１Ｃは、開蓋用耳部および開蓋用補助耳部を設けた位置が異なる以外は図１に示した本発明の包装容器１Ａを２列に連結した形態の例を示すものである。４個の包装容器本体２、３、２、３がそれぞれのフランジ部４、５の２端を介して相互に切り放し可能に連結されており（６はミシン目が施された連結部を示す。連結部６を必要に応じて分離することにより各包装容器本体を個々に分離できる）、各包装容器本体内に図示しない内容物を入れた後、フランジ部４、５と、フランジ部４、５の形状や大きさと略同じシート状の蓋材７を対接させてシールして図示しない内容物が密封されている。各連結部６の両端部に開蓋用耳部９および開蓋用補助耳部１１が合計４個形成されている以外は、図１に示した本発明の包装容器１Ａと同様になっており、本発明の包装容器１Ａと同様の作用効果が得られる。この例では、包装容器本体が４個の例を示したが６個以上であっても差し支えない。
【００３１】
図４は、本発明の包装容器の他の実施の形態を説明する側面説明図であり、本発明の包装容器１Ｄは、図１に示した包装容器本体２、３の側壁に外部に連絡する複数の穴１７が設けられている以外は図１に示した本発明の包装容器１Ａと同様になっている。本発明の包装容器１Ｄ内に収納された図示しない内容物を外部から穴１７を通して見ることが可能である。また穴１７は外部に連絡しているので、空気が自由に本発明の包装容器１Ｄ内に入り、酸欠状態にならない。穴１７の形状、大きさ、個数などは特に限定されず使用目的に合わせて適宜決めることが好ましい。したがって、空気を自由に本発明の包装容器１Ｄ内に入れたい場合や内容物を外部から穴１７を通して見れるようにしたい場合は、包装容器本体２および／または包装容器本体３の側壁に外部に連絡する複数の穴１７を設けることが好ましい。
【００３２】
包装容器本体の材質は、天然樹脂や天然ゴムあるいは合成された熱可塑性樹脂や熱硬化性樹脂や合成ゴムや熱可塑性エラストマーなどの高分子化合物、金属、ガラス、セラミックス、紙、木、あるいはこれらの２種以上を組み合わせた複合材料や２種以上を積層した積層材料でもよく、特に限定されるものではない。しかし、成形性、経済性、物理・化学的性質、取り扱い性などの観点から熱可塑性樹脂あるいは熱可塑性樹脂と他の材料を組み合わせた複合材料や熱可塑性樹脂と他の材料を積層した積層材料は好ましく使用できる。
包装容器本体の形状やデザイン、フランジ部長さ、フランジ部幅、包装容器本体開口部、高さ、厚さなどの寸法、色相なども特に限定されず、また内容物が見えるように透明であってもよく、あるいは不透明であってもよく、材質も含めて保形性、強度、耐熱性、遮光性、ガスバリアー性などを考慮して決めることが好ましい。
【００３３】
熱可塑性樹脂としては、例えば、ポリアミド系樹脂、ポリエステル系樹脂、ポリオレフィン系樹脂、ポリイミド系樹脂、エチレン・ビニルアルコール共重合体、ポリビニルアルコール系樹脂、ポリ塩化ビニル系樹脂、ポリ塩化ビニリデン系樹脂、ポリスチレン系樹脂、ポリカーボネート系樹脂、アクリロニトリルブタジエンスチレン共重合系樹脂、ポリエーテルスルホン系樹脂などのプラスチック、その他エンジニアリングプラスチックスあるいはこれらを架橋処理、コロナ放電処理、プラズマ処理、紫外線照射処理、電子線照射処理などを施したもの、アルミナ、シリカ、酸化ケイ素などから選ばれる無機バリヤー層を蒸着処理したものなどを挙げることができる。
【００３４】
積層材料としては、例えばポリプロピレン／エチレンビニルアルコール共重合体／ポリプロピレン、ポリプロピレン／ポリ塩化ビニリデン／ポリエチレン、ポリプロピレン／ポリアミド／ポリエチレン、ポリエチレン／蒸着酸化ケイ素層／ポリエチレン、アルミニウム箔／シーラントなどから構成される積層材料を例示できる。
【００３５】
熱硬化性樹脂とは、熱により硬化する樹脂であれば特に限定されず、代表的なものとして、例えばフェノール樹脂、不飽和ポリエステル樹脂、ポリウレタン系樹脂、ユリア樹脂、メラミン樹脂、エポキシ樹脂、ジアリルフタレート樹脂、ケイ素樹脂、ポリイミド樹脂などを挙げることができる。
【００３６】
複合材料としては、例えば天然樹脂や天然ゴムあるいは熱可塑性樹脂、熱硬化性樹脂や合成ゴムや熱可塑性エラストマーなどの高分子化合物を２種以上を組み合わせた複合材料や、これらにシリカ、アルミナ、タルクなどの無機充填剤、プラスチック微粒子、木粉、紙粉、シルク粉末などの有機充填剤、ガラス繊維、アルミナ繊維、ポリエステル繊維、ポリアミド繊維などの無機または有機繊維などを配合した複合材料を挙げることができる。
【００３７】
蓋材は包装容器本体と同様、形状やデザイン、厚さや縦横などの寸法、色相など特に限定されず、また内容物が見えるように透明であってもよく、あるいは不透明であってもよく、材質を含めて強度、シール性、耐熱性、遮光性、ガスバリアー性などを考慮して決めることが好ましい。厚さの具体例としては、例えば５０〜１５０μｍ程度がシール性を考慮して好ましく使用できる。
蓋材の材質なども、包装容器本体と同じでもよくあるいは異なるものでもよく特に限定されず、例えば、ポリオレフィン、ポリアミド、ポリ塩化ビニリデンなどの熱可塑性樹脂や、アルミニウム箔／接着剤層、ポリエチレンテレフタレート／エチレンビニルアルコール共重合体／ポリプロピレン、ポリエチレン／蒸着酸化ケイ素層／ポリエチレンなどの複合材料を挙げることができる。
【００３８】
包装する内容物は食品でもあるいは食品以外の例えば医薬品、漢方薬品、化粧品、飼料（魚粉、ヌカなど）、肥料、玩具、書籍、電気・電子部品や電気・電子製品あるいはその中間製品、工具、衣料、建材、寝具、コンパクトデイスク（ＣＤ）やＭＤやＣＶＤ、化学品、野菜や穀類や果実などの農産物、花類、肥料、畜産物、水産物、窯業産物、自動車部品、照明器具、時計やジュエリー類などでよく、形態も粉粒体や塊などの固形物のような固体でもよく、液体でもよく、あるいはこれらの２つ以上の組み合わせや混合物でもよく、本発明において包装して保管、貯蔵、運送、販売などに取り扱うことができるものであれば特に限定されるものではない。
【００３９】
食品の例としては、例えば、ブラックペパー、ホワイトペパー、ジンジャー、ナツメグ、メース、シナモン、コリアンダー、クミン、カルダモン、レッドペパー、マスタード、オールスパイス、クローブ、バジル、タイム、マジョラム、セージ、ターメリック、フェンネル、キャラウェイ、デイル、ガーリック、オニオン、サフラン、カレーパウダー、チリパウダーなどの香辛料が挙げられ、その他、かつお節、昆布粉、茶葉、抹茶、乾燥野菜類、穀類（原形粒および粉末を含む）、大豆粉末、コンニャク粉末など又はこれらの混合物、センナ、センブリ、オウレン、オウバク、ゲンチアナ、ショウキョウ、ダイオウ、マオウ、シャクヤクなど、またオガクズ、フスマなどの混合培地からなるキノコ培地などの栽培原料などを挙げることができる。
【００４０】
他の食品の例としては、例えば、カレー、シチュー、パスタソース、中華調理用ソース、トマトソース・ブイヤベースのような洋風煮込みソース等のソース類、おでん、うどん等の各種スープ・汁類、各種調味料等を粉末状にした食品や固形化した固形物、薄力粉、中力粉、強力粉などの小麦粉、コーンスターチ、馬鈴薯澱粉、小麦澱粉等の単独あるいは２種以上の混合物を挙げることができる。
【００４１】
本発明で用いる包装容器本体や蓋材の形成法は特に限定されず、例えば公知の押出成形法、ラミネート法、真空成形法、圧空成形法、射出成形法などを使用でき、また蓋材のシールについても公知の装置、方法を使用できる。
【００４２】
なお、上記実施形態の説明は、本発明を説明するためのものであって、特許請求の範囲に記載の発明を限定し、或は範囲を減縮するものではない。又、本発明の各部構成は上記実施形態に限らず、特許請求の範囲に記載の技術的範囲内で種々の変形が可能である。
【００４３】
【発明の効果】
本発明の請求項１の包装容器は、少なくとも２個の包装容器本体を、これらの包装容器本体に形成したフランジ部を介して相互に切り放し可能に連結した複数の包装容器本体のフランジ部とシート状の蓋材をシールした包装容器であって、前記連結部の両端部の少なくとも１端部に位置する前記蓋材部分は前記フランジ部とシールされておらず前記蓋材を開封する際の開蓋用耳部として使用可能に形成されているので、必要に応じて各包装容器本体を切り放して使用することができる上、開蓋用耳部の大きさ、寸法を従来よりおよそ２倍に大きくすることができるため、子供、病人、女性など指先の力の小さい人であっても内容物をこぼすなど内容物に悪影響を与えることなく容易に蓋材を剥離して開封できるという顕著な効果を奏する。
【００４４】
本発明の請求項２の包装容器は、請求項１記載の包装容器において、前記開蓋用耳部は前記蓋材を開封する方向に向けて端部に切り込み部あるいは切り放し可能部が設けられて形成されているので、切り込み部あるいは切り放し可能部を切り放すなどして開蓋用耳部を手でしっかり保持したり掴み易くでき開蓋用耳部の使用勝手がよくなるというさらなる顕著な効果を奏する。
【００４５】
本発明の請求項３の包装容器は、請求項１あるいは請求項２記載の包装容器において、前記連結部の両端部の少なくとも１端部に位置する前記フランジ部に前記蓋材を開封する方向に向けて端部に切り込み部あるいは切り放し可能部が設けられて開蓋用補助耳部が形成されているので、切り込み部あるいは切り放し可能部を切り放すなどして開蓋用補助耳部を手でしっかり保持したり掴み易くでき開蓋用補助耳部の使用勝手がよくなるというさらなる顕著な効果を奏する。
【００４６】
本発明の請求項４の包装容器は、請求項３記載の包装容器において、前記開蓋用補助耳部に凹部および／または凸部が形成されているので、開蓋用補助耳部を手でしっかり保持したり掴み易くなる上、包装容器本体のフランジ部とシート状の蓋材をシールする際に、開蓋用補助耳部に対応する位置にある蓋材が開蓋用補助耳部にシールされず、容易に開蓋用耳部および開蓋用補助耳部を形成できるというさらなる顕著な効果を奏する。
【００４７】
本発明の請求項５の包装容器は、請求項１から請求項４のいずれかに記載の包装容器において、密封包装容器であることを特徴とするものであり、内容物の密封性、長期保存性に優れるというさらなる顕著な効果を奏する。
【００４８】
本発明の請求項６は、少なくとも２個の包装容器本体を、これらの包装容器本体に形成したフランジ部を介して相互に切り放し可能に連結した複数の包装容器本体のフランジ部とシート状の蓋材を重ね合わせてシールして包装容器を製造する方法であって、前記連結部の両端部の少なくとも１端部に位置する前記蓋材部分が前記フランジ部にシールされず前記蓋材を開封する際の開蓋用耳部として使用可能に形成することを特徴とする包装容器の製法であり、本発明の包装容器を容易に製造できるという顕著な効果を奏する。
【００４９】
本発明の請求項７は、請求項６記載の包装容器の製法において、少なくとも２個の包装容器本体を、これらの包装容器本体に形成したフランジ部を介して相互に切り放し可能に連結した複数の包装容器本体のフランジ部とシート状の蓋材を重ね合わせてシールして包装容器を製造する方法であって、前記連結部の両端部の少なくとも１端部に位置する前記蓋材部分に対応する前記フランジ部に凹部および／または凸部を設けて、前記蓋材部分が対応する前記フランジ部にシールされず前記蓋材を開封する際のそれぞれ開蓋用耳部および開蓋用補助耳部として使用可能に形成するので、開蓋用補助耳部を手でしっかり保持したり掴み易くなる上、包装容器本体のフランジ部とシート状の蓋材をシールする際に、開蓋用補助耳部に対応する位置にある蓋材が開蓋用補助耳部にシールされず、容易に開蓋用耳部および開蓋用補助耳部を形成できるというさらなる顕著な効果を奏する。
【図面の簡単な説明】
【図１】本発明の包装容器の一実施の形態を説明する説明図である。
【図２】本発明の包装容器の他の実施の形態を説明する説明図である。
【図３】本発明の包装容器の他の実施の形態を説明する説明図である。
【図４】本発明の包装容器の他の実施の形態を説明する側面説明図である。
【図５】従来の包装用容器を説明する説明図である。
【図６】従来の包装容器を説明する説明図である。
【符号の説明】
１Ａ、１Ｂ、１Ｃ、１Ｄ  本発明の包装容器
２、３、３Ａ  包装容器本体
４、５、５Ａ  フランジ部
６  連結部
７  蓋材
８、９  蓋材部分（開蓋用耳部）
１０、１１  部分（開蓋用補助耳部）
１２、１３、１４、１５  切り込み部
１６  凹凸部
１７  穴
【図１】
2005022678.tif 000003
【図２】
2005022678.tif 000004
【図３】
2005022678.tif 000005
【図４】
2005022678.tif 000006
【図５】
2005022678.tif 000007
【図６】
2005022678.tif 000008